(57)【特許請求の範囲】
【請求項１】
ネットワーク故障に対する保護を与えるために複数のネットワーク構成要素間でトラフィックをルーティングする方法であって、
（Ａ）  第１のネットワーク構成要素から第２のネットワーク構成要素へトラフィック需要をルーティングするステップと、
（Ｂ）  該第２のネットワーク構成要素内で、該トラフィック需要に関連する信号のコピーが、（ｉ）  該信号が少なくとも１つの付属のネットワーク構成要素にルーティングされながら、該第２のネットワーク構成要素内で保持されるか、（ｉｉ）  該信号が該少なくとも１つの付属のネットワーク構成要素以外の少なくとも１つのネットワーク構成要素にルーティングされながら、該少なくとも１つの付属のネットワーク構成要素にルーティングされか、の少なくとも一方であるように、トラフィック需要を処理するステップとを含み、
該第２のネットワーク構成要素は、該少なくとも１つの付属のネットワーク構成要素以外の該少なくとも１つのネットワーク構成要素に対応する１つのあるネットワーク構成要素を介して、又は直接、複数のデュアルホームネットワーク構成要素の１つの組のうちの第１のデュアルホームネットワーク構成要素に接続され、
該少なくとも１つの付属のネットワーク構成要素に対応する１つのあるネットワーク構成要素は、他の付属のネットワーク構成要素を介して、又は直接、複数のデュアルホームネットワーク構成要素の１つの組のうちの第２のデュアルホームネットワーク構成要素に接続されることを特徴とするネットワーク故障に対する保護を与えるためにネットワーク構成要素間でトラフィックをルーティングする方法。
【請求項２】
請求項１に記載の方法において、該第１のネットワーク構成要素は、トラフィック需要のソースネットワーク構成要素を含むことを特徴とする方法。
【請求項３】
請求項１記載の方法において、該第２のネットワーク構成要素は、リング型伝送ネットワーク構成要素を含むことを特徴とする方法。
【請求項４】
請求項１記載の方法において、該第２のネットワーク構成要素は、網型伝送ネットワーク構成要素を含むことを特徴とする方法。
【請求項５】
請求項１記載の方法において、該トラフィック需要に関連する信号のコピーが生成され、第２のネットワーク構成要素で保持され、該信号は別のネットワーク構成要素に送られる
ことを特徴とする方法。
【請求項６】
請求項１記載の方法において、該信号のコピーは、第２のネットワーク構成要素を含む複数のネットワーク構成要素の各々で生成されることを特徴とする方法。
【請求項７】
請求項１記載の方法において、該トラフィック需要に関連する信号のコピーは、第２のネットワーク構成要素により生成された信号のマルチキャストの少なくとも一部であり、そして少なくとも２つの他のネットワーク構成要素にマルチキャストされることを特徴とする方法。
【請求項８】
請求項１記載の方法において、該第２のネットワーク構成要素は、デュアルホームネットワーク構成要素の組内の構成要素であることを特徴とする方法。
【請求項９】
請求項１記載の方法において、該付属のネットワーク構成要素は、デュアルホームネットワーク構成要素の組内の構成要素であることを特徴とする方法。
【請求項１０】
ネットワーク故障に対する保護を与えるためにネットワーク構成要素間でトラフィックをルーティングする装置であって、
１つ又は複数の付属のネットワーク構成要素に接続され、該トラフィック需要に関連する信号のコピーが、（ｉ）  該信号が該１つ又は複数の付属のネットワーク構成要素のうちの少なくとも１つにルーティングされながら、１つのあるネットワーク構成要素内で保持されるか、又は、（ｉｉ）  該信号が該１つ又は複数の付属のネットワーク構成要素以外の少なくとも１つのネットワーク構成要素にルーティングされながら、該１つ又は複数の付属のネットワーク構成要素の少なくとも１つにルーティングされるかの少なくとも一方であるように、該１つ又は複数の付属のネットワーク構成要素のうちの１つから受信したトラフィック需要を処理するように動作可能な該１つのあるネットワーク構成要素を含み、
該１つのあるネットワーク構成要素は、該１つ又は複数の付属のネットワーク構成要素以外の該少なくとも１つのネットワーク構成要素に対応する他のネットワーク構成要素を介して、又は直接、複数のデュアルホームネットワーク構成要素の１つの組のうちの第１のデュアルホームネットワーク構成要素に接続され、
該１つ又は複数の付属のネットワーク構成要素のうちの少なくとも１つに対応する他のネットワーク構成要素は、他の付属のネットワーク構成要素を介して、又は直接、複数のデュアルホームネットワーク構成要素の１つの組のうちの第２のデュアルホームネットワーク構成要素に接続されることを特徴とするネットワーク故障に対する保護を与えるためにネットワーク構成要素間でトラフィックをルーティングする装置。
【請求項１１】
請求項１０記載の装置において、該トラフィック需要は、トラフィック需要のソースネットワーク構成要素から該１つのあるネットワーク構成要素で受信されることを特徴とする装置。
【請求項１２】
ネットワーク故障に対する保護を与えるために複数のネットワーク構成要素間でトラフィックをルーティングする装置であって、
第１のネットワーク構成要素と、
該第１のネットワーク構成要素に接続された第２のネットワーク構成要素と
からなり、
該第１のネットワーク構成要素はトラフィック需要を第２のネットワーク構成要素にルーティングし、
該第２のネットワーク構成要素は、該トラフィック需要に関連する信号のコピーが、（ｉ）  該信号が少なくとも１つの付属のネットワーク構成要素にルーティングされながら、該第２のネットワーク構成要素内で保持されるか、又は、（ｉｉ）  該信号が該少なくとも１つの付属のネットワーク構成要素以外の少なくとも１つのネットワーク構成要素にルーティングされながら、該少なくとも１つの付属のネットワーク構成要素にルーティングされるか  の少なくとも一方であるように、該トラフィックの需要を処理し、
該第２のネットワーク構成要素は、該少なくとも１つの付属のネットワーク構成要素以外の該少なくとも１つのネットワーク構成要素に対応する１つのあるネットワーク構成要素を介して、又は直接、複数のデュアルホームネットワーク構成要素の１つの組のうちの第１のデュアルホームネットワーク構成要素に接続され、
該少なくとも１つの付属のネットワーク構成要素に対応する１つのあるネットワーク構成要素は、他の付属のネットワーク構成要素を介して、又は直接、複数のデュアルホームネットワーク構成要素の１つの組のうちの第２のデュアルホームネットワーク構成要素に接続されることを特徴とするネットワーク故障に対する保護を与えるためにネットワーク構成要素間でトラフィックをルーティングする装置。
【発明の詳細な説明】
【０００１】
【発明の属する技術分野】
本発明は、光学ネットワークあるいは他の種類のネットワークが、ネットワークのリンク、スパン、ノード、あるいは他の構成素子の故障から保護する技術に関し、特に、このような故障が発生した場合、ネットワーク内でトラフィックの道筋を変更する技術に関する。
【０００２】
【従来の技術】
通信ネットワーク技術は急速に進歩している。例えば、波長分割多重化（wavelength division multiplexig：ＷＤＭ）を用いた、全光学ネットワークは様々な通信のアプリケーション用に開発されている。ＷＤＭ技術により、異なる波長を有する複数の光学信号を１本の光ファイバ内に多重化することができる。各波長は光学キャリアとして機能し、他の波長から独立して用いられ、その結果異なる波長が、異なる変調フォーマットを用いて、異なる情報信号を搬送できる。１つの実現例においては各波長は、同期光学ネットワーク／同期デジタルハイラルキ（synchronous optical network/synchronous digital hierarchy：ＳＯＮＥＴ／ＳＤＨ）を表す変調信号のクライアントペイロードを搬送し、そして各クライアントは、ＳＯＮＥＴレートの時分割多重化（time division multiplexed：ＴＤＭ）アプリケーションであり、共通の搬送された信号は、ＯＣ−ｘフォーマットである。ここで「ＯＣ」とは光学キャリアを表し、「ｘ」はレートを表す。例えばＯＣ−３フォーマット、ＯＣ−４フォーマット、ＯＣ−１９２フォーマット等である。
【０００３】
このような光学ネットワークは通常、ルーティング素子、例えば波長切換クロスコネクト（wavelength switching cross-connects）、波長アダプタ、波長交換クロスコネクト（wavelength interchanging cross-connects）等である。波長切換クロスコネクトは、ある入力用ファイバ上の来入波長を、別の出力用ファイバにクロスコネクト（接続）する際に波長変換を行わないものをいう。この種のルーティングデバイスのみが光学ネットワークに具備されている場合には、ネットワークは１個の波長を用いて端末間の需要をルーティングする。ある需要に割り当てられた主ネットワークパスが故障した場合には、この需要は主パスとまったく同一の波長を用いて第２（予備）のパス上で搬送しなければならない。波長アダプタは、クライアント−ネットワークのインタフェースにおいて、波長の変換が可能となるデバイスである。波長交換クロスコネクト（wavelength interchanging cross-connects）とは、来入する波長を異なる出力用ファイバにクロスコネクト（接続）する際に、波長の変換を行うものである。
【０００４】
これらの素子により構成された光学ネットワーク内の故障に対する保護を提供する１つのアプローチは、完全な冗長性を具備すること、例えばネットワークの各主接続に対し専用のバックアップ、すなわち第２接続をネットワークを含むようにすることである。主接続のリンク、スパン、ノードが故障した場合には、トラフィックは第２接続の対応する素子に切り替えられる。
【０００５】
図１はノードの故障を保護する従来の故障保護アプローチを示す。このアプローチは、デュアルホーミング（dual homing）と称する。同図はソースネットワーク要素ＮＥ−Ａと宛先ネットワーク要素ＮＥ−Ｚを含むネットワークの一部を示す。ＮＥ−Ａに関連してデュアルホームネットワーク要素１０−１，１０−２の組１０が配置されている。ＮＥ−Ｚに関連してデュアルホームネットワーク要素１２−１，１２−２の組１２が配置されている。各ネットワーク要素はそれぞれルータ，交換器或いはクロスコネクトに対応している。従来のデュアルホーミングアプローチにおいては、ＮＥ−ＡとＮＥ−Ｚの間の１つのデマンドは２つのデマンドセグメントＳ１とＳ２に変換される。そしてそれぞれのデマンドが元の一つのデマンドと同じ容量を必要としている。この２つのデマンドＳ１とＳ２はＮＥ−Ａからデュアルホームネットワーク要素の組１０にルーティングされ、さらにデュアルホームネットワーク要素の組１２にルーティングされ、デュアルホームネットワーク要素の組１２からＮＥ−Ｚにルーティングされる。このデュアルホーミングアプローチは、ノードの故障に対して保護を与えることは出来るが、デマンドが二重となるためネットワークの容量が増加し、そのためコスト高となる。
【０００６】
図１に示した従来のデュアルホーミングアプローチの応用例は、複数の管理領域，動作領域或いは他の種類の領域にネットワークが分割される。このような構成に於いては、トラフィックはある領域から別の領域に、この２つの領域の間のゲートウエイとして機能するノードを介してハンドオフされる。ところが上記した従来のデュアルホーミングアプローチは、このようなアプリケーション、或いは他の重要なアプリケーションに於いて十分、且つ効率的な故障保護を提供することが出来ない。
【０００７】
【発明が解決しようとする課題】
本方法の目的は、従来の二重ホーミングアプローチに関連した問題を解決する新たな二重ホームアプローチングを提供する。
【０００８】
【課題を解決するための手段】
本発明は、光学ネットワーク、或いは他の種類のネットワークに於いて、ネットワークの故障を保護する改善したデュアルホームアプローチを提供する。
【０００９】
本発明によれば、あるトラフィックデマンドは、第１ネットワーク構成要素から第２ネットワーク構成要素にルーティングされる。そして第２ネットワーク構成要素は、デュアルホーム構成要素の組の内の１つ、或いはデュアルホーム構成要素に接続されたものであり、そしてリング型伝送、或いは網型伝送の構成要素でもよい（請求項８，９）。
【００１０】
第２ネットワーク構成要素はトラフィックデマンド（需要）を、このデマンドに関連した信号のコピーが、（ｉ）少なくとも１つ付属のネットワーク要素にルーティングされながら第２のネットワーク構成要素で保持される信号と、（ｉｉ）付属のネットワーク構成要素以外の少なくとも１つのネットワーク構成要素にルーティングされながら少なくとも１つの付属のネットワーク要素にルーティングされる信号の少なくとも一方であるようにして、処理する（請求項１のステップ（Ｂ））。例えば、本発明により実行されたマルチドロップ接続においては信号のコピーは第２ネットワーク要素及び１つ或いは複数の付属のネットワーク要素でドロップされる。他の実施例として本発明で実行されたマルチキャスト接続に於いては、信号の１つ或いは複数のコピーが第２ネットワーク構成要素から複数の付属のネットワーク構成要素にマルチキャストされる。
【００１１】
本発明の利点として、本発明は従来のデュアルホーミングアプローチよりも必要とされる容量を少なくしながらネットワークの故障に対する保護を改善できる。更に又本発明はファイバーの切断、或いは他の故障に対しリンクレベルの保護を提供できる。さらに本発明によればリンクの故障は主デュアルホーム構成要素と第２デュアルホーム構成要素の間の切り替えを強制することはない。本発明によれば従来のデュアルアーキテクチャーに比較すると複雑でなくなる。
【００１２】
本発明の技術は、波長選択デバイス，波長アダプタ，波長交換デバイス或いは他の種類の光学ルータを含む複合ファイバベースの光学ネットワークに適したものであり、更に一般的には他の種類のネットワーク、或いは他の種類の伝送媒体にも適用可能である。
【００１３】
【発明の実施の形態】
本発明は、ネットワーク構成要素（以下、ネットワークノードと称する）の間のトラフィック需要をルーティングする例を用いて説明する。しかし本発明は特定のトラフィック需要，ネットワーク構成要素，ネットワークに限定されるものではなく、一般的なネットワークの故障に対する保護を改善するネットワークトラフィックルーティングに適用できる。例えば、本発明のネットワークの故障保護技術は、光学ネットワークのみならず電話回線、或いは他の電気通信ネットワークにも適用できる。本明細書に於いてネットワークとは、光学ネットワーク，電気通信ネットワーク，混成光−電気通信ネットワークを含む。
【００１４】
図２は、本発明の一実施例によるデュアルホーミングアプローチを実行するネットワークの一部を示す。このネットワークの一部はネットワーク構成要素ＮＥ−Ａ，リング型伝送ネットワーク１５−１，１５−２，１５−３を含むリング型伝送ネットワーク１５と、デュアルホームネットワーク構成要素１６−１，１６−２からなる組１６を含む。リング型伝送ネットワーク１５は、例えばＳＯＮＥＴ／ＳＤＨ或いは公知の従来方法で構成された光学リングである。本発明によれば、リング型伝送ネットワーク１５はネットワーク構成要素ＮＥ−Ａとデュアルホームネットワーク構成要素１６−１，１６−２からなる組１６との間を接続する。ある需要がＮＥ−Ａからリング型伝送ネットワーク１５のリング型伝送ネットワーク１５−１を介してリング型伝送ネットワーク１５−２にルーティングされる。リング型伝送ネットワーク１５−２において対応する信号のコピーがドロップされ、信号は引き続きリング型伝送ネットワーク１５−３に送られる。反対方向に於いては、信号選択動作を用いてリング型伝送ネットワーク１５−３からの元の信号、或いはリング型伝送ネットワーク１５−２からの信号のコピーの何れかが選択される。コピーのドロップと信号の選択動作は、通信ネットワークの技術分野に於いて公知であり、詳細な説明は割愛する。
【００１５】
好ましいことに図２の構成は、図１の従来のデュアルホームアプローチに比較して或る通信需要に対するルーティングを二重にすることなくノードの故障を保護できる。更に又、本発明のアプローチは、リングのキャパシティー（容量）を節約でき、これによりネットワーク故障の保護を更に強化することが出来る。例えば本発明は、光ファイバーの切断、或いは他の故障に対しリンクレベルの保護を与えることが出来る。本発明は従来のデュアルアーキテクチャーに比較して複雑でない。
【００１６】
リング型伝送ネットワーク１５は既知の伝送メカニズム、例えば、これはadd-drop（追加−取り出し） 多重化（add-drop multiplexer；ＡＤＭ）或いは他の同様なデバイスと共に二重リング相互作用メカニズム（ＤＲＩ）、或いは二重ノード相互作用メカニズム（ＤＮＩ）を用いる。
【００１７】
図３は、本発明のデュアルホーミングアプローチをリング型のネットワークで実施した例を示す。この実施例に於いては、ネットワーク構成要素１７−１，１７−２を具備した第２のリング型伝送ネットワーク１７がネットワーク構成要素ＮＥ−Ａとリング型伝送ネットワーク１５との間に接続されている。通信デマンド（需要）がＮＥ−Ａからリング型伝送ネットワーク１５のネットワーク構成要素１７−１，１７−２を介してルーティングされ、その後、図２で記載したようにルーティングされる。本発明の二重ホーミングアプローチは、様々な種類のリング型伝送ネットワークで実行できる。
【００１８】
図４は、ネットワーク構成要素２０−１，２０−２，２０−３，２０−４，２０−５からなる単一リング２０を含むネットワークの一部を介して通信需要が伝送される状態を示す。このトラフィック需要は、ローカルトラフィックとデュアルホームトラフィックの両方を含んでいる。図５は図４のトラフィック需要が図１の従来のデュアルホームアプローチに従ってルーティングされる状態を示す。従来のアプローチは、図５に示すような２本の別々のリング２０Ａ，２０Ｂを必要とする。リング２０Ａは２個の光ファイバーリングが用いられ、二重ホームトラフィックに対応する保護されていない通信需要をルーティングし、一方リング２０Ｂは４個の光ファイバーリングが用いられ、局部トラフィック需要に対応する保護された需要をルーティングする。合計で６本の光ファイバーがこの実施例では従来の二重ホームアプローチを用いて図４のトラフィック需要をルーティングするのに必要である。
【００１９】
図６は、図２の改良したデュアルホーミングアプローチに従って図４のトラフィック需要がルーティングされる状態を示す。このアプローチに於いては単一のリング２０Ｃを用いてトラフィック需要の組がルーティングされる。この実施例に於いてはこの単一リングは、４本のファイバーを含み、ネットワークキャパシティー（容量）は従来のアプローチを用いる際に必要とされる６本の光ファイバーに対し３３％の節約となる。更に、これ以上の節約は、図１の従来の二重ホーミング構成（或るトラフィック需要を２つのセグメントＳ１，Ｓ２に分け、さらにキャパシティーを追加する構成）に対し達成できる。
【００２０】
図７は、本発明は他の実施例によるデュアルホーミングアプローチを示す。このアプローチは、網型の伝送とマルチドロップのメカニズムを用いる。同図は相互に接続されたネットワーク構成要素３０−１，３０−２，３０−３，３０−４，３０−５，３０−６を有する網型伝送ネットワーク３０を含むネットワークの一部を示す。デュアルホーミングの構成要素の組３２は、デュアルホームネットワーク構成要素１６−１，１６−２を有する。本発明によればマルチドロップ接続は網型伝送ネットワーク３０内で行われる。具体的に説明すると、同図に示したマルチドロップ接続は、ネットワーク構成要素３０−６に関連するポイントをドロップ／ブリッジと、そして選択することを含む。あるトラフィック需要に関連する信号のコピーは、ネットワーク構成要素３０−６でドロップされ、信号は更にネットワーク構成要素３０−３に送信される。ブリッジングと信号選択機能は、ネットワーク構成要素３０−６内で実行される。
【００２１】
図７に示したマルチドロップ接続は単なる一実施例であり、他の方法でも当然実行することが出来る。一つの可能性としては、ネットワーク構成要素３０−３或いは１つ或いは複数のネットワーク構成要素が、ドロップ／ブリッジポイントと選択ポイントとして機能することもできる。
【００２２】
図８は、本発明の他の実施例によるデュアルホーミングアプローチを示す。このアプローチは、網型伝送とマルチキャストメカニズムを利用している。この実施例における網型伝送ネットワークは、相互に接続されたネットワーク構成要素３０−１，３０−２，３０−３，３０−４，３０−５，３０−６を有する網型伝送ネットワーク３０を有する。そしてデュアルホーム構成要素の組３２は、デュアルホームネットワーク構成要素１６−１，１６−２を有する。本発明によればマルチキャスト接続は、１つ或いは複数のネットワーク構成要素を用いて実現される。具体的に説明すると、同図に示したマルチキャスト接続は、ネットワーク構成要素３０−５に関連するマルチキャスト／ブリッジと選択ポイントを有する。或るトラフィック需要に関連する信号は、ネットワーク構成要素３０−５からネットワーク構成要素３０−２とネットワーク構成要素３０−６にマルチキャストされる。ネットワーク構成要素３０−２から信号は更にネットワーク構成要素３０−３に向かって進む。ブリッジングと信号選択機能はネットワーク構成要素３０−５内で実行される。
【００２３】
図７のマルチドロップ実施例と同様に図８に示した特定のマルチキャスト接続は、単なる一実施例で他の方法でも実行することが出来る。例えば、ネットワーク構成要素３０−５以外のネットワーク構成要素が、マルチキャスト／ブリッジと選択ポイントとして機能することが出来る。
【００２４】
図９は、図７，８で説明した網型伝送ネットワーク３０を介して伝送されるトラフィック需要の例を示す。この実施例におけるトラフィック需要は短い矢印で示された局部的なトラフィックと長い矢印で示されたデュアルホームのトラフィックの両方を含む。図１０は、図１の従来のデュアルホーミングアプローチにより図９のトラフィック需要がルーティングされる方法を示す。この従来のアプローチは、デュアルホームトラフィックの伝送に網型伝送ネットワーク３０Ａを介したルーティングを利用し、そしてこれは５ユニットの容量を必要とする、或いはある接続に対して構成要素同士の部分に対しては１ユニットを必要とする。局部的なトラフィックの伝送に対しては、網型伝送ネットワーク３０Ｂを介してルーティングし、これは９ユニットの容量を必要とし、この実施例では全部で１４ユニットの容量が必要となる。網型伝送ネットワーク３０Ｂ内の点線は保護容量を示し、これは９ユニットの局部トラフィック容量の要件の中に含まれる。
【００２５】
図１１は、図７に示したのと同様に本発明のマルチドロップメカニズムに従って図９のトラフィック需要がルーティングされる状態を示す。このアプローチに於いては、局部的なトラフィックとデュアルホームトラフィックが網型伝送ネットワーク３０Ｃを介してルーティングされる。全部で１３単位の容量がこの実施例では必要とされ、その結果図１０に示した従来のルーティングに対し約７％の節約がなされる。網型伝送ネットワーク３０Ｃ内の点線は保護容量を示し、これは全容量内に含まれる。
【００２６】
本発明のマルチドロップメカニズムにより効率的なトランスポートレイヤーソリューションを用いることにより従来のデュアルホーミングアプローチに対し大幅に容量を節約できる。
【００２７】
図１２は、上記のルーティング機能を実行するのに用いられるネットワークノード２００を表す。ネットワークノード２００は、図３−５の実施例の中のノードＡまたはノードＺに対応する。
【００２８】
ネットワークノード２００は、コントローラ２１０と、交換網２１２と、ＯＣ−ｘポート２１５を有する第１ランカード２１４と、ＯＣ−ｘポート２１７を有する第２ラインカード２１６とを有する。ネットワークノード２００は、説明を簡単にするために単純化して示してある。例えば、ネットワークノード２００はある種のアプリケーションによってはさらに多くの数のラインカードおよびポートを含む。
【００２９】
コントローラ２１０は、プロセッサ２２０とメモリ２２２とを有する。プロセッサ２２０は、例えば、マイクロコンピュータ、マイクロコントローラ、ＡＳＩＣ、あるいは他の処理デバイスおよびこれらのデバイスの組合せである。メモリ２２２は、ＲＡＭ、ＲＯＭ、あるいは他の種類のメモリデバイス、あるいはこれらのメモリデバイスの組合せである。メモリ２２２は、ネットワーク容量に対する需要を記憶する需要データベース、および特定の需要に対応するネットワークを通過するルーティングパスを指定するルーティングテーブルを記憶するのに用いられる。
【００３０】
ネットワークノード２００は、光学ネットワークの素子、あるいは多数のノード、あるいは中央制御装置を含む他の種類のネットワークの素子である。ノードと中央制御装置は、コンピュータ、プロセッサベースの切換機、あるいは他の種類のプロセッサベースのデバイスを表し、本明細書に記載したネットワーク保護技術を提供する。本発明は、数百個単位のノードを含む複数のサブネットワークを含む、地方ネットワーク、国内ネットワーク、国際ネットワークの使用に適し、そしていかなるネットワークのアプリケーションにも用いることができる。
【００３１】
本明細書は、ファイバトランクを介してＯＣ−ｘトラフィックを例に説明したが、本発明は他の所望のトラフィック、あるいはネットワーク伝送媒体を用いたネットワークにも適用できる。本明細書で使用される「トランク」とは、光ファイバトランクのみならず他の種類の伝送媒体も含む。さらにまた本明細書に記載したＩＰレイヤは、ＡＴＭ、フレームリレー、マルチプロトコルラベル交換（multi-protocol label-switched：ＭＰＬＳ）、他の種類のパケットベースのサービスを用いても実現することができる。本発明は様々な変形例が考えられるが、これはいずれも特許請求の範囲の記載に含まれる。
【００３２】
特許請求の範囲の発明の要件の後ろに括弧で記載したものは本発明の一実施例の態様関係を示すもので本発明の範囲を限定するものと解釈してはならない。
【図面の簡単な説明】
【図１】図１はネットワークにおけるノード故障に対し保護を与える従来のデュアルホーミングアプローチを表す図。
【図２】本発明の一実施例によりリング型伝送を用いたデュアルホーミングアプローチを表す図。
【図３】本発明のデュアルホーミングアプローチをマルチリングで実行した状態を表す図。
【図４】リング型伝送に対し、トラフィックデマンドの組を表す図。
【図５】図４のトラフィックデマンドの組が、図１の従来のデュアルホーミングアプローチに従ってルーチングされる方法を表す図。
【図６】図４のトラフィックデマンドの組が、図２のデュアルホーミングアプローチに従ってルーチングされる方法を表す図。
【図７】本発明により網型伝送及びマルチドロップメカニズムを利用したデュアルホーミングアプローチを表す図。
【図８】本発明により網型伝送及びマルチキャストメカニズムを利用したデュアルホーミングアプローチを表す図。
【図９】網型伝送に対し、トラフィックデマンドの組を表す図。
【図１０】図９のトラフィックデマンドの組が、図１の従来のデュアルホーミングアプローチに従ってルーチングされる方法を表す図。
【図１１】図９のトラフィックデマンドの組が、図７の従来のマルチドロップメカニズムに従ってルーチングされる方法を表す図。
【図１２】本発明によるネットワーク構成要素を表すブロック図。
【符号の説明】
１０，１２  デュアルホームネットワーク要素
１５  リング型伝送ネットワーク
１５−１，１５−２，１５−３  ネットワーク構成要素
１６  組
１６−１，１６−２  デュアルホームネットワーク構成要素
１７  第２リング型伝送ネットワーク
１７−１，１７−２  ネットワーク構成要素
２０  単一リング
２０−１，２０−２，２０−３，２０−４，２０−５  ネットワーク構成要素
２０Ａ，２０Ｂ  リング
３０  網型伝送ネットワーク
３０−１，３０−２，３０−３，３０−４，３０−５，３０−６  ネットワーク構成要素
【図１】
0004638079.tif 000002
【図２】
0004638079.tif 000003
【図３】
0004638079.tif 000004
【図４】
0004638079.tif 000005
【図５】
0004638079.tif 000006
【図６】
0004638079.tif 000007
【図７】
0004638079.tif 000008
【図８】
0004638079.tif 000009
【図９】
0004638079.tif 000010
【図１０】
0004638079.tif 000011
【図１１】
0004638079.tif 000012
【図１２】
0004638079.tif 000013